(57)【要約】【課題】停電が発生した場合にも冷却効率が低下するのを抑制することが可能な冷却装置を提供する。【解決手段】このショーケース１００（冷却装置）は、電力を使用して駆動される圧縮機１０と、停電を検出する電力検出部６１と、電力検出部６１により停電が検出された際に圧縮機１０を停止させるとともに蒸発器４０の除霜を行う除霜モードに移行させる制御を行う制御部６０とを備える。【選択図】図３
2014173809.tif 000002
【特許請求の範囲】
【請求項１】
電力を使用して駆動される圧縮機と、
停電を検出する検出部と、
前記検出部により前記停電が検出された際に前記圧縮機を停止させるとともに除霜モードに移行させる制御を行う制御部とを備える、冷却装置。
【請求項２】
前記停電が検出された際の前記除霜モードの継続時間は、前記検出部により前記停電が検出されるまでの前記圧縮機の運転時間に応じて決定されるように構成されている、請求項１に記載の冷却装置。
【請求項３】
前記停電が検出された際の前記除霜モードの継続時間は、前記検出部により前記停電が検出されるまでの前記圧縮機の運転時間に応じて、前記停電が発生しない通常時の除霜モードの継続時間よりも短くなるように補正された時間が用いられるように構成されている、請求項２に記載の冷却装置。
【請求項４】
前記停電が発生しない通常時の除霜モードは、所定の第１時間おきに前記第１時間よりも短い第２時間継続されるように構成されており、
前記停電が検出された際の前記除霜モードの継続時間は、前記第１時間に対する前記停電が検出されるまでの前記圧縮機の運転時間の割合を前記第２時間に乗じて算出されるように構成されている、請求項３に記載の冷却装置。
【請求項５】
前記圧縮機は、前記圧縮機の停止時から前記圧縮機を保護するための保護時間が経過した後に再始動可能に構成されており、
前記制御部は、算出された前記除霜モードの継続時間が前記圧縮機を保護するための保護時間よりも短い場合には、前記保護時間を優先するとともに前記除霜モードの継続時間を前記保護時間に相当する時間に置き換えて前記除霜モードを継続させる制御を行うように構成されている、請求項４に記載の冷却装置。
【請求項６】
前記圧縮機は、前記圧縮機の停止時から前記圧縮機を保護するための保護時間が経過した後に再始動可能に構成されており、
前記制御部は、算出された前記除霜モードの継続時間が前記圧縮機を保護するための保護時間よりも短い場合には、移行した前記除霜モードを停止して前記保護時間経過後に前記圧縮機を再始動させる制御を行うように構成されている、請求項４に記載の冷却装置。
【請求項７】
前記制御部は、前記検出部により前記停電が検出された際の前記除霜モードの終了に基づいて停止中の前記圧縮機を再始動させる制御を行うように構成されており、
前記制御部は、前記検出部により前記停電が検出されるまでの前記圧縮機の運転時間を初期値に戻した状態で、前記停電から復帰した後の前記圧縮機の再始動に基づいて前記運転時間の積算処理を開始する制御を行うように構成されている、請求項２〜６のいずれか１項に記載の冷却装置。
【請求項８】
前記制御部は、少なくとも前記除霜モードの継続時間内は、前記停電から復帰した後も前記圧縮機の停止状態を継続させるとともに前記除霜モードを継続させる制御を行うように構成されている、請求項１〜７のいずれか１項に記載の冷却装置。
【請求項９】
前記停電は、短時間の停電を含み、
前記制御部は、前記検出部により前記短時間の停電が検出された際に前記圧縮機を停止させるとともに前記除霜モードに移行させる制御を行うように構成されている、請求項１〜８のいずれか１項に記載の冷却装置。
【請求項１０】
商品を収容する収容部と、
電力を使用して駆動される圧縮機と、
停電を検出する検出部と、
前記検出部により前記停電が検出された際に前記圧縮機を停止させるとともに前記収容部の除霜を行う除霜モードに移行させる制御を行う制御部とを備える、ショーケース。
【発明の詳細な説明】
【技術分野】
【０００１】
この発明は、冷却装置およびショーケースに関し、特に、電力を使用して駆動される圧縮機を備えた冷却装置およびショーケースに関する。
【背景技術】
【０００２】
従来、電力を使用して駆動される圧縮機を備えた冷却装置などが知られている（たとえば、特許文献１参照）。
【０００３】
上記特許文献１には、電力を使用して駆動される圧縮機を備えた冷蔵庫（冷却装置）の除霜制御装置が開示されている。この特許文献１に記載の冷蔵庫の除霜制御装置では、冷却運転中、圧縮機の運転時間の積算値が除霜用設定時間に達した際に冷却器の除霜が行われるように構成されている。なお、この特許文献１では、冷却運転中に停電が発生した場合、停電とともに圧縮機の運転時間の積算処理が一時的に停止されて停電直前までの圧縮機の運転時間が保持される。また、停電の回復とともに圧縮機が再始動される際、保持されていた圧縮機の運転時間を引き継ぐようにして再始動後の圧縮機の運転時間の積算処理が再開される。そして、圧縮機の運転時間（全積算値）が除霜用設定時間に達した時点で、冷却器の除霜が行われるように構成されている。
【先行技術文献】
【特許文献】
【０００４】
【特許文献１】特開平５−１０６５５号公報
【発明の概要】
【発明が解決しようとする課題】
【０００５】
しかしながら、上記特許文献１に記載された冷蔵庫の除霜制御装置では、冷却運転中に停電が発生するタイミングによっては、停電回復後に圧縮機が再始動されてから除霜動作に入るまでの時間（再始動後の圧縮機の運転時間の積算処理が再開されて除霜用設定時間に達するまでの時間）が非常に短い場合がある。この場合、まず停電回復後に圧縮機が再始動され、短時間のうちに圧縮機が再停止されて除霜動作が行われる。そして、除霜動作の終了に基づき圧縮機が再始動される。このため、圧縮機が頻繁に始動停止を繰り返すので、エネルギ損失が大きくなるとともに、庫内温度が上昇してしまい、その結果、冷却効率が低下するという問題点がある。
【０００６】
また、従来の他の例としての停電発生時に圧縮機の運転時間がリセットされる制御方式では、冷却運転中に除霜動作に入る直前に停電が発生した場合には、停電発生直前までの冷却運転で冷却器に多くの霜が付着して除霜動作が直ちに必要であるにもかかわらず、制御上、除霜動作は停電回復後に圧縮機が再始動され初期値から再積算された運転時間が除霜用の設定時間に達して圧縮機が停止した後に初めて行われる。つまり、停電発生時に運転時間がリセットされる分、着霜が解消されないまま冷却運転が再開されかつ除霜動作に移行するタイミングも先送りされてしまい、その分、圧縮機の再始動後の冷却効率が低下するという問題点もある。
【０００７】
この発明は、上記のような課題を解決するためになされたものであり、この発明の１つの目的は、停電が発生した場合にも冷却効率が低下するのを抑制することが可能な冷却装置およびショーケースを提供することである。
【課題を解決するための手段】
【０００８】
この発明の第１の局面による冷却装置は、電力を使用して駆動される圧縮機と、停電を検出する検出部と、検出部により停電が検出された際に圧縮機を停止させるとともに除霜モードに移行させる制御を行う制御部とを備える。
【０００９】
この発明の第１の局面による冷却装置では、上記のように、検出部により停電が検出された際に圧縮機を停止させるとともに除霜モードに移行させる制御を行う制御部を備えることによって、たとえば、停電発生時に除霜を行うことなく停電回復後に圧縮機が再始動され再び圧縮機が停止された後に除霜モードに移行するような運転状態とは異なり、停電発生時に圧縮機が停止されて除霜モードに移行され除霜モードの終了後に圧縮機を再始動させることができるので、圧縮機の頻繁な始動停止が繰り返されない。これにより、冷却装置のエネルギ損失が増大するのが抑制されるとともに冷却物を収容する収容部（庫内）の温度が上昇するのが抑制される。その結果、停電が発生した場合にも冷却効率が低下するのを抑制することができる。また、検出部により停電が検出されたことをトリガとして除霜モードに移行されるので、停電の発生に起因して除霜動作（除霜モード）が遅延することがない。すなわち、停電が発生した場合にも適切なタイミングで除霜が行われるので、圧縮機の再始動後（停電回復後）も、効率よく冷却運転を継続させることができる。これによっても、冷却効率が低下するのを抑制することができる。
【００１０】
上記第１の局面による冷却装置において、好ましくは、停電が検出された際の除霜モードの継続時間は、検出部により停電が検出されるまでの圧縮機の運転時間に応じて決定されるように構成されている。このように構成すれば、停電が検出された際に除霜動作が一律の時間しか行われない場合と異なり、停電が検出されるまで（圧縮機が停止されるまで）の圧縮機の運転時間に応じて変動（増減）する着霜量に応じた継続時間で除霜動作を行うことができる。このように、停電検出時の除霜モードの継続時間を着霜量に応じて調整することができるので、除霜動作が短すぎて霜の融け残り（除霜不足）が生じたり、除霜が実際的に完了しているにもかかわらず除霜動作が無用に長引くことを抑制することができる。また、着霜量に応じた継続時間で除霜モードを適切に終了させることができるので、除霜の終了とともに冷却運転を直ちに再開させることができる。
【００１１】
上記除霜モードの継続時間を停電が検出されるまでの圧縮機の運転時間に応じて決定する構成において、好ましくは、停電が検出された際の除霜モードの継続時間は、検出部により停電が検出されるまでの圧縮機の運転時間に応じて、停電が発生しない通常時の除霜モードの継続時間よりも短くなるように補正された時間が用いられるように構成されている。このように構成すれば、停電が発生しない通常時の除霜モード（除霜動作）の継続時間を基準として、停電が検出されるまでの圧縮機の運転時間に応じて停電検出時の除霜モードの継続時間を通常時の除霜モードの継続時間の範囲内で最適な長さに制御することができる。
【００１２】
上記除霜モードの継続時間に通常時の除霜モードの継続時間よりも短くなるように補正された時間が用いられる構成において、好ましくは、停電が発生しない通常時の除霜モードは、所定の第１時間おきに第１時間よりも短い第２時間継続されるように構成されており、停電が検出された際の除霜モードの継続時間は、第１時間に対する停電が検出されるまでの圧縮機の運転時間の割合を第２時間に乗じて算出されるように構成されている。このように構成すれば、除霜モード（除霜動作）の継続時間を第２時間の範囲内で停電が検出されるまでの圧縮機の運転時間に比例させて増減させることができるので、停電が検出されるまでの圧縮機の運転時間に応じて変動（増減）する着霜量に応じて、除霜モードの継続時間を容易に調整することができる。
【００１３】
上記除霜モードの継続時間を第１時間に対する圧縮機の運転時間の割合を第２時間に乗じて算出する構成において、好ましくは、圧縮機は、圧縮機の停止時から圧縮機を保護するための保護時間が経過した後に再始動可能に構成されており、制御部は、算出された除霜モードの継続時間が圧縮機を保護するための保護時間よりも短い場合には、保護時間を優先するとともに除霜モードの継続時間を保護時間に相当する時間に置き換えて除霜モードを継続させる制御を行うように構成されている。このように構成すれば、除霜モード（除霜動作）の継続時間が圧縮機を保護するための保護時間よりも短い時間として算出された場合であっても、圧縮機の停止時から少なくとも圧縮機の保護時間が経過するまでの間、除霜モードが継続されるので、圧縮機を確実に保護しながら、圧縮機を保護するための停止時間を有効に利用して十分な除霜を行うことができる。
【００１４】
上記除霜モードの継続時間を第１時間に対する圧縮機の運転時間の割合を第２時間に乗じて算出する構成において、好ましくは、圧縮機は、圧縮機の停止時から圧縮機を保護するための保護時間が経過した後に再始動可能に構成されており、制御部は、算出された除霜モードの継続時間が圧縮機を保護するための保護時間よりも短い場合には、移行した除霜モードを停止して保護時間経過後に圧縮機を再始動させる制御を行うように構成されている。このように構成すれば、算出された除霜モードの継続時間が圧縮機の保護時間よりも小さい非常に短い時間である場合に一旦移行された除霜モードが停止されるので、たとえば除霜用の電熱ヒータなどに通電する時間を削減することができる。算出された除霜モードの継続時間が圧縮機の保護時間に満たない場合とは、停電が検出されるまでの圧縮機の運転時間自体が短いので着霜量自体も少ない。したがって、一旦移行された除霜モードを停止して電熱ヒータへの通電時間を削減したとしても、冷却運転効率への影響はほとんどない。
【００１５】
上記除霜モードの継続時間を停電が検出されるまでの圧縮機の運転時間に応じて決定する構成において、好ましくは、制御部は、検出部により停電が検出された際の除霜モードの終了に基づいて停止中の圧縮機を再始動させる制御を行うように構成されており、制御部は、検出部により停電が検出されるまでの圧縮機の運転時間を初期値に戻した状態で、停電から復帰した後の圧縮機の再始動に基づいて運転時間の積算処理を開始する制御を行うように構成されている。このように構成すれば、除霜モード（除霜動作）の終了に基づいて圧縮機の運転時間の積算処理が新たに開始されるので、次に停電が検出された際の除霜モードの継続時間を、前回の除霜モードの終了に基づいて新たに積算処理が開始された圧縮機の運転時間に応じて容易に決定することができる。
【００１６】
上記第１の局面による冷却装置において、好ましくは、制御部は、少なくとも除霜モードの継続時間内は、停電から復帰した後も圧縮機の停止状態を継続させるとともに除霜モードを継続させる制御を行うように構成されている。このように構成すれば、電力の停電および回復に合わせて圧縮機を頻繁に始動停止させることなく、回復した電力を有効に利用して除霜モード（除霜動作）を優先的に継続させることができる。これにより、冷却装置（冷却器）への着霜を確実に解消することができる。
【００１７】
上記第１の局面による冷却装置において、好ましくは、停電は、短時間の停電を含み、制御部は、検出部により短時間の停電が検出された際に圧縮機を停止させるとともに除霜モードに移行させる制御を行うように構成されている。このように、いわゆる瞬時停止などのように停電が非常に短い時間だけ発生した場合においても、停電発生時に圧縮機が停止されて除霜モードに移行され除霜モードの終了後に圧縮機が再始動される点で圧縮機の頻繁な始動停止が繰り返されない。また、非常に短い時間の停電であっても適切なタイミングで除霜が行われるので、除霜動作（除霜モード）が遅延するのを確実に抑制することができる。なお、本発明における「短時間の停電」は、瞬間的な停電（瞬時停電）のみならず、数分程度の短い時間の停電も含む広い概念である。
【００１８】
この発明の第２の局面によるショーケースは、商品を収容する収容部と、電力を使用して駆動される圧縮機と、停電を検出する検出部と、検出部により停電が検出された際に圧縮機を停止させるとともに収容部の除霜を行う除霜モードに移行させる制御を行う制御部とを備える。
【００１９】
この発明の第２の局面によるショーケースでは、上記のように、検出部により停電が検出された際に圧縮機を停止させるとともに収容部の除霜を行う除霜モードに移行させる制御を行う制御部を備えることによって、たとえば、停電発生時に収容部の除霜を行うことなく停電回復後に圧縮機が再始動され再び圧縮機が停止された後に除霜モードに移行するような運転状態とは異なり、停電発生時に圧縮機が停止されて収容部の除霜を行う除霜モードに移行され除霜モードの終了後に圧縮機が再始動させることができるので、圧縮機の頻繁な始動停止が繰り返されない。これにより、ショーケースのエネルギ損失が増大するのが抑制されるとともに商品を収容する収容部の温度が上昇するのが抑制される。その結果、停電が発生した場合にも冷却効率が低下するのを抑制することができる。また、検出部により停電が検出されたことをトリガとして収容部の除霜を行う除霜モードに移行されるので、停電の発生に起因して除霜動作（除霜モード）が遅延することがなく、停電発生時においても適切なタイミングで収容部の除霜を行うことができる。ショーケースにおいては、収容部が除霜されないまま運転が継続された場合には収容部を低温状態に維持しにくくなるので、停電が発生した場合にも適切なタイミングで除霜が行われる分、収容部を低温状態で安定的に維持することができる。その結果、停電が発生した場合にもショーケースの冷却効率が低下するのを効果的に抑制することができる。
【発明の効果】
【００２０】
本発明によれば、上記のように、停電が発生した場合にも冷却効率が低下するのを抑制することができる。
【図面の簡単な説明】
【００２１】
【図１】本発明の一実施形態によるショーケースの概略的な全体構成を示した図である。
【図２】本発明の一実施形態によるショーケースの制御構成を示したブロック図である。
【図３】本発明の一実施形態によるショーケースにおいて、停電が検出された際の運転制御内容を示したタイミングチャートである。
【図４】本発明の一実施形態によるショーケースの運転パターンおよび実施形態に対する比較例としてショーケースの運転パターンを示したタイミングチャートである。
【図５】本発明の一実施形態によるショーケースにおいて停電が発生した際の運転に関する制御部の処理フローを示した図である。
【図６】本発明の一実施形態の変形例によるショーケースにおいて、停電が検出された際の運転制御内容を示したタイミングチャートである。
【発明を実施するための形態】
【００２２】
以下、本発明を具体化した実施形態を図面に基づいて説明する。
【００２３】
まず、図１〜図４を参照して、本発明の一実施形態によるショーケース１００の構成について説明する。なお、ショーケース１００は、本発明の「冷却装置」の一例である。
【００２４】
本実施形態によるショーケース１００は、図１に示すように、商品（図示せず）を前面側が開放された陳列室１ａに陳列して販売するオープンタイプ（開放型）のケース本体部１と、ケース本体部１に内蔵され、冷媒に二酸化炭素（ＣＯ2）を用いて所定の冷凍サイクルを形成可能な冷凍サイクル装置２とを備えている。なお、陳列室１ａは、本発明の「収容部」の一例である。
【００２５】
冷凍サイクル装置２は、電力を使用して駆動される圧縮機１０と、吐出管３ａにより圧縮機１０に接続されたガスクーラ（放熱器）２０とを含んでいる。圧縮機１０は、冷凍サイクルにおける低圧側から吸入されたガス冷媒を圧縮して高圧側（吐出管３ａ）に吐出する役割を有している。また、圧縮機１０には、回転数（運転周波数）の変更により冷媒吐出量が制御可能なインバータ制御式圧縮機が用いられている。ガスクーラ２０は、内部を流通する過熱ガス状態の冷媒を送風機２１により送風される外部空気を用いて冷却する機能を有している。また、ガスクーラ２０内で凝縮（液化）された冷媒は、冷媒配管（液管）３ｂを流通して電子膨張弁３０に流入される。
【００２６】
ここで、圧縮機１０は、制御上、圧縮機１０の停止時から保護時間Ｔｇが経過した後に再始動が可能となるように構成されている。ここで、保護時間Ｔｇは、５分に設定されている。この保護時間Ｔｇは、ユーザによる運転スイッチ（図示せず）のオフ操作に加えて後述する除霜モード（除霜動作）が実行されることなどの理由で、運転中の圧縮機１０が一時的に駆動停止された場合に保護時間Ｔｇよりも短い時間のうちに再始動されないようにするための制御時間である。また、保護時間Ｔｇは、圧縮機１０が短時間で再始動された場合に、停止直後の冷凍サイクル装置２内の冷媒圧力の高圧／低圧のアンバランスに起因して始動時に圧縮機１０の圧縮機構が損傷するのを防止して圧縮機１０を保護することを目的として設けられている。
【００２７】
また、冷凍サイクル装置２は、図１に示すように、電子膨張弁３０と、冷媒配管３ｃにより電子膨張弁３０の下流に接続された蒸発器４０とを含んでいる。電子膨張弁３０は、ガスクーラ２０で冷却（液化）された冷媒を絞り膨張（減圧）させて蒸発器４０に供給する役割を有している。ここで、電子膨張弁３０は、パルス制御により駆動されるステッピングモータ３１の駆動力を利用して弁機構を開閉駆動されるように構成されている。なお、電子膨張弁３０により絞り膨張された液冷媒は、気相および液相からなる気液二相状態のまま冷媒配管３ｃから蒸発器４０に流入される。
【００２８】
蒸発器４０は、一対の側板（エンドプレート）４１間を往復蛇行する伝熱管４２を備えている。また、伝熱管４２の直管部が側板４１間に所定のピッチ（間隔）を有して配置された複数の薄い板状のフィン４３のフィンカラー部（図示せず）に圧入されており、蒸発器４０は、伝熱管４２の内部を冷媒が流通するプレートフィン型の空気熱交換器として構成されている。また、蒸発器４０を含む空気流路内に送風機５０が設けられており、商品を冷却するための空気（冷気）が送風機５０によって蒸発器４０と陳列室１ａとの間を循環するように構成されている。したがって、蒸発器４０内を流通する冷媒が蒸発（気化）する際に、フィン４３間を流通する空気から熱が奪われて循環空気が冷却される。また、蒸発器４０における蒸発後の冷媒は、気相を多く含んだガス状態となって冷媒配管（吸入管）３ｄに流通されて圧縮機１０に戻される。このように、冷凍サイクル装置２では、圧縮機１０から吐出された冷媒が、矢印Ｐ方向に沿って、吐出管３ａ、ガスクーラ２０、冷媒配管３ｂ、電子膨張弁３０、冷媒配管３ｃ、蒸発器４０、冷媒配管３ｄの順に流れて圧縮機１０に帰還されるサイクルを繰り返す。
【００２９】
また、ショーケース１００では、冷凍サイクル装置２の動作制御を行うための制御部６０がケース本体部１に設けられている。また、蒸発器４０には、伝熱管４２を流通する冷媒温度を検出するための冷媒温度センサ８１が、伝熱管４２の出口部４２ａ近傍に取り付けられている。また、陳列室１ａの空気温度（冷却温度）を検出するための空気温度センサ８２が、陳列室１ａの所定位置に取り付けられている。また、冷媒温度センサ８１および空気温度センサ８２は、制御部６０にそれぞれ接続されている。これにより、冷媒温度センサ８１により検出された蒸発器４０中の冷媒温度に基づいて制御部６０により電子膨張弁３０の開度制御が行われる。また、空気温度センサ８２により検出された陳列室１ａの空気温度に基づいて制御部６０により圧縮機１０の能力制御が行われる。ショーケース１００では、冷媒温度センサ８１および空気温度センサ８２からの入力信号に基づいて制御部６０が所定の判断を行い、圧縮機１０、電子膨張弁３０、送風機２１および送風機５０などの各種機能部品が適切に駆動されるように構成されている。これにより、陳列室１ａが所定の冷却（冷蔵）温度に維持管理されるように構成されている。
【００３０】
ここで、陳列室１ａへの循環空気を冷却するために、蒸発器４０内部を流通する冷媒は循環空気の温度よりも低い温度で蒸発するように制御されている。また、循環空気が冷却される際に循環空気に含まれる水分（水蒸気）も冷やされる。この際、冷やされた水分（水蒸気）が蒸発器４０のフィン４３の表面（伝熱面）に付着して凍結し、次第にフィン４３の表面に広範囲に付着して霜が発生する。また、霜の発生によって隣り合うフィン４３同士は目詰まりを起こし、蒸発器４０の熱交換性能（伝熱性能）が著しく低下する。
【００３１】
したがって、図１に示すように、蒸発器４０には、フィン４３に付着する霜を定期的に融かすための除霜用ヒータ（電熱ヒータ）７０が組み込まれている。なお、ショーケース１００では、通常時、冷却モード（冷却運転）が標準運転時間Ｔｒだけ継続された際に除霜モードに移行されて除霜動作が標準継続時間Ｔｄだけ継続されるように設定されている。ここで、標準継続時間Ｔｄは標準運転時間Ｔｒよりも短い。本実施形態では、標準運転時間Ｔｒは８時間であり、標準継続時間Ｔｄは２０分として設定されている。なお、標準運転時間Ｔｒおよび標準継続時間Ｔｄは、それぞれ、本発明の「第１時間」および「第２時間」の一例である。
【００３２】
また、ショーケース１００の制御的な構成としては、図２に示すように、ＣＰＵからなる制御部６０に加えて、電力検出部６１と、圧縮機駆動部６２と、ＲＯＭ６３と、ＲＡＭ６４とが設けられている。なお、電力検出部６１は、本発明の「検出部」の一例である。
【００３３】
電力検出部６１は、外部から引き込まれた電力線６５に接続されており、冷凍サイクル装置２に供給される電力状態を監視する機能を有する。また、電力検出部６１を経由した電力線６５は、圧縮機駆動部６２を経由して圧縮機１０に接続されている。そして、圧縮機駆動部６２は、制御部６０の指令（オン／オフ指令）に基づいて圧縮機１０の始動および停止を行う機能を有する。また、ＲＯＭ６３には、制御部６０が実行する制御プログラムに加えて電子膨張弁３０の開度制御に使用される開度制御テーブル（図示せず）や圧縮機１０の能力制御（回転数制御）に関する周波数制御テーブル（図示せず）などが格納されている。また、ＲＡＭ６４は、制御プログラムが実行される際に用いられる圧縮機の運転時間（後述する運転時間Ｔｖ）などを含む制御上のパラメータを一時的に保存する作業用メモリとして用いられる。
【００３４】
ここで、本実施形態では、電力検出部６１により冷凍サイクル装置２に供給される電力の停電が検出されるように構成されている。そして、圧縮機１０が運転される冷却運転中に電力検出部６１により停電が検出された際、それまでの「冷却モード」から「除霜モード」へと運転モードが切り替えられるように構成されている。すなわち、電力検出部６１により停電が検出された際、制御部６０の指令に基づき圧縮機駆動部６２を介して圧縮機１０が停止されるとともに蒸発器４０（図１参照）に対する除霜動作が開始されるように構成されている。なお、電力検出部６１により検出される停電には、約５０ミリ秒〜１００ミリ秒程度の非常に短い時間で発生するような瞬時停電（非常に短時間の停電）の場合に加えて、数秒以上数分以下の短時間の停電の場合も含まれる。本実施形態では、冷却モード（冷却運転）中に電力検出部６１により瞬時停電が検出された際に、冷却モードの終了とともに圧縮機１０が停止される例について説明する。この場合、本実施形態では、運転モードが除霜モードに切り替えられて蒸発器４０に付着している霜の除霜が行われるように構成されている。
【００３５】
この点をより詳細に説明する。すなわち、図３に示すように、冷却モードでは圧縮機１０（図２参照）の運転中、制御部６０（図２参照）から圧縮機駆動部６２（図２参照）に対して圧縮機１０を運転するためのオン信号（オン指令）が出力されている。そして、時間Ｔａのタイミングで停電が発生して電力検出部６１（図２参照）により停電が検出された際、まず、電力検出部６１から制御部６０に対して停電検出信号が出力される。そして、制御部６０により、電力検出部６１から入力された停電検出信号に基づいて圧縮機駆動部６２に対して圧縮機１０を停止するためのオフ信号（オフ指令）が出力される。これにより、圧縮機１０は、圧縮機駆動部６２によって停止される。また、停電が発生した時間Ｔａのタイミングで冷却モードから除霜モードに運転モードが切り替えられる。この際、除霜用ヒータ７０（図２参照）の通電を許可するためのオン信号（オン指令）が内部的に生成される。
【００３６】
また、停電発生後、時間Ｔｂのタイミングで停電から電力が通常通り供給される状態に復帰（回復）したとする。この際、本実施形態では、制御部６０により圧縮機１０の停止状態が継続されるとともに除霜モードが継続されるように構成されている。すなわち、内部的に生成された除霜用ヒータ７０の通電を許可するためのオン信号（オン指令）に基づいて除霜用ヒータ７０の通電が開始される。これにより、除霜モード（除霜動作）が優先的に継続された状態で、回復した電力を有効に利用して蒸発器４０（図１参照）に付着した霜が確実に除去（融解）されるように構成されている。
【００３７】
また、本実施形態では、図３に示すように、電力検出部６１（図２参照）により停電が検出された際に移行される除霜モードの継続時間Ｔｕは、電力検出部６１により停電が検出されるまでの圧縮機１０（図２参照）の運転時間Ｔｖに応じて決定されるように構成されている。なお、ショーケース１００は、停電が検出されるまでは冷却モードで連続運転されており、圧縮機１０の運転時間Ｔｖは、冷却モードが継続されている期間中における停電が検出されるまでの運転時間Ｔｖのことを意味する。つまり、陳列室１ａの温度制御に伴って能力制御（回転数制御）が随時継続される時間が、圧縮機１０の運転時間Ｔｖに相当する。なお、インバータ制御式圧縮機であっても、たとえば、冷却モードでの運転中、陳列室１ａの温度制御に伴って圧縮機１０の駆動が一時的に停止される状態（サーモオフ状態）もありうる。この場合も、制御上、「冷却モード」が継続されている期間中であり圧縮機１０も運転制御されているので、このような冷却モード中の運転制御の範囲内での一時的な圧縮機１０の停止時間も圧縮機１０の運転時間Ｔｖとしてみなされる。
【００３８】
また、停電が検出された際の除霜モードの継続時間Ｔｕは、通常時の前回の除霜モードから今回の除霜モードまでの間の冷却運転の継続時間として予め設定されている標準運転時間Ｔｒに対する停電が検出されるまでの圧縮機１０の運転時間Ｔｖの割合を、通常の除霜動作である標準継続時間Ｔｄに乗じて算出されるように構成されている。すなわち、継続時間Ｔｕ＝標準継続時間Ｔｄ×（運転時間Ｔｖ／標準運転時間Ｔｒ）として算出される。
【００３９】
具体例を挙げて説明すると、停電が検出された時点での圧縮機１０の運転時間Ｔｖが４時間であった場合、除霜動作（除霜モード）の継続時間Ｔｕは、８時間（標準運転時間Ｔｒ）に対する４時間（運転時間Ｔｖ）の割合０．５を２０分（標準継続時間Ｔｄ）に乗じた１０分（＝２０分×（４／８））として算出される。また、停電が検出された時点での圧縮機１０の運転時間Ｔｖが２時間であった場合、除霜動作（除霜モード）の継続時間Ｔｕは、８時間に対する２時間の割合０．２５を２０分に乗じた５分（＝２０分×（２／８））として算出される。このように、除霜動作の継続時間Ｔｕは、２０分間の範囲内で停電が検出されるまでの圧縮機１０の運転時間Ｔｖに比例するように増減される。これにより、停電が検出されるまでの圧縮機１０の運転時間Ｔｖに応じて変動（増減）する蒸発器４０（図１参照）の着霜量に応じて、除霜動作の継続時間Ｔｕが調整されるように構成されている。このように、本実施形態では、停電が検出された際の除霜動作の継続時間Ｔｕには、電力検出部６１により停電が検出されるまでの圧縮機１０の運転時間Ｔｖに応じて停電が発生しない通常時の除霜動作の継続時間である標準継続時間Ｔｄ（２０分）よりも短くなるように補正された時間が適用されている。
【００４０】
また、停電が検出された際の除霜動作（除霜モード）の継続時間Ｔｕについては、圧縮機１０が停止した際の再始動までの保護時間Ｔｇ（５分）以上となるように構成されている。具体例を挙げて説明すると、停電が検出された時点での圧縮機１０の運転時間Ｔｖが１時間であった場合、除霜動作の継続時間Ｔｕは、８時間に対する１時間の割合０．１２５を２０分に乗じた２．５分として算出される。この場合、本実施形態では、算出された除霜動作の継続時間である２．５分が圧縮機１０を保護するための保護時間Ｔｇである５分よりも短いので、圧縮機１０の保護時間Ｔｇである５分が優先されて除霜モードの継続時間Ｔｕを２．５分ではなく圧縮機１０の保護時間Ｔｇに相当する５分に置き換えて（継続時間Ｔｕ＝５分として）除霜モードを継続させる制御が制御部６０により行われるように構成されている。したがって、停電が検出された時点での圧縮機１０の運転時間Ｔｖが２時間以内であれば、常に保護時間Ｔｇである５分が優先されて除霜動作（除霜用ヒータ７０への通電）は最低でも５分間行われる。そして、運転時間Ｔｖが２時間を超えた時点から、上記した、継続時間Ｔｕ＝標準継続時間Ｔｄ×（運転時間Ｔｖ／標準運転時間Ｔｒ）の算出結果が継続時間Ｔｕにそのまま反映される。たとえば、運転時間Ｔｖが３時間の場合、継続時間Ｔｕは７．５分であり、運転時間Ｔｖが６時間の場合、継続時間Ｔｕは１５分であり、この間、除霜用ヒータ７０が通電される。
【００４１】
また、図３に示すように、停電発生時の除霜動作（除霜モード）が継続時間Ｔｕだけ行われた後、除霜モードが時間Ｔｃのタイミングで終了された際、制御部６０（図２参照）により、除霜用ヒータ７０（図２参照）の通電を停止するためのオフ信号（オフ指令）に基づいて除霜用ヒータ７０の通電が停止されるように構成されている。そして、制御部６０により、圧縮機駆動部６２（図２参照）に対して圧縮機１０（図２参照）を再始動するためのオン信号（オン指令）が出力されるように構成されている。
【００４２】
ここで、本実施形態では、制御部６０（図２参照）は、電力検出部６１により停電が検出されるまでの圧縮機１０の運転時間Ｔｖを初期値（０分）に戻した状態で、停電から復帰（回復）した後の圧縮機１０の時間Ｔｃでの再始動に基づいて運転時間Ｔｖの積算処理を新たに０分から開始する制御を行うように構成されている。すなわち、時間Ｔｃで除霜モードから冷却モードに運転モードが切り替わる際に、運転時間Ｔｖの積算値が０分にリセットされ、圧縮機１０の再始動とともに標準運転時間Ｔｒ（８時間）に達するまで運転時間Ｔｖの積算処理が繰り返される。
【００４３】
ショーケース１００では冷却モードでの運転中に停電が発生した際に、上記のように冷却モードから除霜モードに運転モードが切り替えられる。ここで、本実施形態の運転制御を適用した場合の運転状況と、本実施形態とは異なり停電発生時に上記した運転制御が適用されない場合の運転状況（比較例１および２）とについて、図４を参照して説明する。なお、比較例１は、本願の背景技術で記載した停電発生時に圧縮機が一時的に停止されるのみで除霜動作は行われない運転パターンであり、比較例２は、停電発生時に除霜動作が行われず、かつ、停電回復後の圧縮機の再始動とともに圧縮機の運転時間もリセットされる運転パターンである。
【００４４】
まず、本実施形態によるショーケース１００では、図４に示すように、通常の除霜動作が時間ｔ１で終了し、その後、通常の冷却運転（冷却モード）が行われていたとする。そして、時間Ｔａでの停電の発生とともに圧縮機１０（図２参照）が停止され、かつ、冷却モードから除霜モードに運転モードが切り替えられる。この際、前回の除霜モード終了後の時間ｔ１から時間Ｔａまでの冷却モードでの運転時間Ｔｖ（＝時間Ｔａ−時間ｔ１）に応じた除霜モードの継続時間Ｔｕが算出される。そして、時間Ｔａから時間Ｔｃまでの間の継続時間Ｔｕ（＝時間Ｔｃ−時間Ｔａ）だけ除霜動作が継続される。この場合、継続時間Ｔｕには圧縮機１０を保護する保護時間Ｔｇが含まれる。なお、冷却運転とともに停電発生時（時間Ｔａ）よりも前の時点から蒸発器４０（図１参照）への着霜がすでに始まっている場合もあるが、ショーケース１００では時間Ｔａのタイミングで除霜モードに入るので、時間Ｔｃでの除霜モード終了時には蒸発器４０の霜は除去される。
【００４５】
また、本実施形態では、図４に示すように、時間Ｔｃのタイミングで除霜モードが終了されるとともに冷却モードに切り替えられて圧縮機１０が再始動される。この際、運転時間Ｔｖの積算値が０分にリセットされ、新たな冷却モードとしての運転制御が開始される。その後、停電が発生することもなく新たな冷却モードの継続時間が標準運転時間Ｔｒ（８時間）に達した時間ｔ２のタイミングで圧縮機１０の駆動が停止されることにより、冷却モードから除霜モードに運転モードが切り替えられる。そして、時間ｔ２に開始される除霜モードでは、通常の除霜動作である標準継続時間Ｔｄ（２０分）だけ除霜動作が行われて、時間ｔ３のタイミングで除霜モードが終了されるとともに冷却モードに切り替えられる。ショーケース１００では、このような運転パターンが再現される。
【００４６】
これに対して、比較例１では、図４に示すように、時間Ｔａのタイミングで停電が発生した場合、停電とともに圧縮機１０（図１参照）の駆動が停止される一方、運転モードとしては停電中も冷却モードの状態が継続される。そして、時間Ｔｂのタイミングで停電から復帰した際に冷却モードの状態が継続されているので、時間Ｔｂよりも後の時間Ｔｅのタイミングで圧縮機１０は再始動される。すなわち、時間Ｔａから時間Ｔｅまでが圧縮機１０を保護する保護時間Ｔｇ（＝時間Ｔｅ−時間Ｔａ）に相当する。そして、前回の除霜モード終了後の時間ｔ１からの冷却モードの継続時間が所定の標準運転時間Ｔｒ（８時間）に達した時間Ｔｅよりも後の時間ｔ４のタイミングで圧縮機１０の駆動が再び停止されることにより冷却モードから除霜モードに運転モードが切り替えられる。
【００４７】
なお、比較例１では、冷却運転とともに停電発生時（時間Ｔａ）よりも前の時点から蒸発器４０（図１参照）への着霜がすでに始まっていた場合には、時間ｔ４のタイミングで通常の除霜モード（２０分）に入るので時間ｔ５の除霜モード終了時には蒸発器４０の霜は除去される。そして、時間ｔ５での除霜モードの終了とともに冷却モードに切り替えられる。すなわち、停止中の圧縮機１０は、時間ｔ５のタイミングで再始動される。この際、運転時間の積算値が０分にリセットされ、新たな冷却モードとしての運転制御が開始される。その後、停電が発生することもなく新たな冷却モードの継続時間が標準運転時間Ｔｒ（８時間）に達したタイミングで再び除霜モードに入り、通常の除霜動作である標準継続時間Ｔｄ（２０分）だけ除霜動作が行われて冷却モードに復帰する。
【００４８】
このように、比較例１では、時間Ｔａにおける停電の発生と除霜モードとに関連性を有していないため、時間Ｔａでの圧縮機１０の停止、時間Ｔｅでの圧縮機１０の再始動、時間ｔ４での圧縮機１０の再停止、および、時間ｔ５での圧縮機１０の再始動のように、圧縮機１０の頻繁な始動停止が繰り返される。また、圧縮機１０の始動が頻繁に繰り返されると、各始動時における始動電流の増大に起因してショーケース１００の消費電力量が増加する。さらには、圧縮機１０の頻繁な始動停止が繰り返される分、陳列室１ａの温度上昇が引き起こされ、陳列室１ａの冷却（冷蔵）温度が安定しない。
【００４９】
また、比較例２では、時間Ｔａでの停電発生とともに圧縮機１０が停止され、冷却モードも時間Ｔａのタイミングで一旦終了される。すなわち、運転時間（標準運転時間Ｔｒ未満）の積算処理もここで打ち切られる。そして、時間Ｔｂのタイミングで停電から復帰し、時間Ｔａを起点として保護時間Ｔｇが経過した時間Ｔｅのタイミングで圧縮機１０が再始動される。この際、運転時間の積算値が０分にリセットされ、新たな冷却モードとしての運転制御が開始される。そして、新たな冷却モードの継続時間が標準運転時間Ｔｒ（８時間）に達した時間ｔ６のタイミングで圧縮機１０の駆動が停止されることにより冷却モードから除霜モードに運転モードが切り替えられる。そして、時間ｔ６に開始される除霜モードでは、通常の除霜動作である標準継続時間Ｔｄ（２０分）だけ除霜動作が行われて、時間ｔ７のタイミングで除霜モードが終了されるとともに冷却モードに復帰する。
【００５０】
なお、比較例２においても冷却運転とともに停電発生時（時間Ｔａ）よりも前の時点から蒸発器４０（図１参照）への着霜がすでに始まっていた場合には、停電発生時にも除霜モードに移行されず、さらに時間Ｔｅを起点として新たな冷却モードとしての運転制御が開始される（運転時間の積算処理が０分から新たに開始される）ので、蒸発器４０の霜は残された（除去されない）まま冷却モードが継続される。したがって、残された霜に新たな冷却運転で付着した霜がさらに蓄積されて通常運転時の蒸発器４０の着霜量よりも多い着霜量となった状態で標準運転時間Ｔｒ（８時間）だけ冷却モードが継続される。そして、時間ｔ６のタイミングで初めて除霜モード（２０分間継続）に移行されることになる。また、この場合、標準継続時間Ｔｄだけ除霜を行ったとしても着霜量が多いので蒸発器４０に霜が融け残っている可能性もある。すなわち、比較例２のような運転パターンでは、停電後に運転時間がリセットされる分、除霜モードに移行するタイミングが先送りされてしまい、たとえ時間ｔ６のタイミングで除霜モードに入ったとしても除霜（霜の融解）が十分に行われない。
【００５１】
このように、比較例１では圧縮機１０の頻繁な始動停止が繰り返され、比較例２では蒸発器４０の除霜が十分に行われない一方、本実施形態によるショーケース１００（図１参照）では、停電発生とともに除霜動作が適切に行われる。これにより、停電発生以降の運転において、圧縮機１０が頻繁な始動停止を繰り返したり、霜の異常な蓄積に起因して除霜が十分に行われない状況が発生しにくくなる。また、圧縮機１０が頻繁に始動停止されないので、ショーケース１００で消費電力量が低減されるとともに、陳列室１ａの冷却（冷蔵）温度が安定的に維持される。
【００５２】
次に、図１〜図５を参照して、本実施形態によるショーケース１００によって陳列室１ａの温度維持管理が行われる際の制御部６０の処理フローについて説明する。なお、以下では、ショーケース１００（図２参照）が冷却モードで運転されている際に停電が発生した場合のショーケース１００の運転動作についての説明を行う。
【００５３】
図５に示すように、まず、ステップＳ１では、運転中のショーケース１００（図２参照）に供給されている電力に停電が発生したか否かが制御部６０（図２参照）により判断されるとともに、停電が発生したと判断されるまでこの処理が繰り返される。このステップＳ１の判断においては、電力状態を監視中の電力検出部６１（図２参照）により停電が検出された際の停電検出信号が電力検出部６１から出力されて制御部６０に入力されたことに基づいて、停電が発生したことが検知されたと判断される。
【００５４】
そして、本実施形態では、ステップＳ１において、冷却モードで運転中のショーケース１００（図２参照）に供給されている電力に停電が発生したと判断された場合、ステップＳ２では、制御部６０（図２参照）により圧縮機１０（図２参照）が停止される。すなわち、制御部６０により、電力検出部６１から入力された停電検出信号に基づいて圧縮機駆動部６２（図２参照）に対して圧縮機１０を停止するためのオフ信号（オフ指令）が出力される。これにより、図３に示す時間Ｔａのタイミングで圧縮機１０は、圧縮機駆動部６２によって停止される。
【００５５】
その後、ステップＳ３では、制御部６０により、除霜モード（除霜動作）の継続時間Ｔｕが算出される。この際、図４に示すように、停電が検出された際の除霜モードの継続時間Ｔｕは、通常時の前回の除霜モードから今回の除霜モードまでの冷却運転の継続時間である標準運転時間Ｔｒ（８時間）に対する停電が検出されるまでの圧縮機１０の運転時間Ｔｖ（＝時間Ｔａ−時間ｔ１）の割合を通常の除霜モードでの除霜動作である標準継続時間Ｔｄ（２０分）に乗じて算出される。すなわち、継続時間Ｔｕ＝標準継続時間Ｔｄ×（運転時間Ｔｖ／標準運転時間Ｔｒ）からなる計算式に基づいて継続時間Ｔｕが演算される。
【００５６】
そして、ステップＳ４では、制御部６０により、運転モードが冷却モードから除霜モードに切り替えられる。すなわち、除霜用ヒータ７０（図２参照）の通電を許可するためのオン信号（オン指令）が内部的に生成される。なお、本実施形態では、図３に示すように、停電発生後、時間Ｔｂのタイミングで停電から電力が通常通り供給される状態に復帰（回復）した場合においても、制御部６０により圧縮機１０の停止状態が継続されるとともに除霜モード（除霜動作）が継続されるように構成されている。すなわち、内部的に生成された除霜用ヒータ７０の通電を許可するためのオン信号（オン指令）に基づいて時間Ｔｂのタイミングで除霜用ヒータ７０の通電が開始される。
【００５７】
そして、ステップＳ５では、除霜モードの継続時間が保護時間Ｔｇ（５分）に達したか否かが制御部６０（図２参照）により判断されるとともに、除霜モードの継続時間が保護時間Ｔｇ（５分）に達したと判断されるまでこの処理が繰り返される。
【００５８】
ステップＳ５において除霜モード（除霜動作）の継続時間が保護時間Ｔｇ（５分）に達したと判断された場合、ステップＳ６では、除霜モードの継続時間がステップＳ３で算出した継続時間Ｔｕに達したか否かが制御部６０により判断されるとともに、除霜モードの継続時間が継続時間Ｔｕに達したと判断されるまでこの処理が繰り返される。
【００５９】
ステップＳ６において除霜モード（除霜動作）の継続時間が継続時間Ｔｕに達したと判断された場合、ステップＳ７では、制御部６０により、運転モードが除霜モードから冷却モードに切り替えられる。すなわち、図３に示す時間Ｔｃのタイミングで、内部的に生成された除霜用ヒータ７０（図２参照）の通電を停止するためのオフ信号（オフ指令）に基づいて除霜用ヒータ７０の通電が停止される。
【００６０】
なお、図５に示すように、ステップＳ５およびステップＳ６の処理では、ステップＳ３において算出された除霜モードの継続時間Ｔｕが圧縮機１０を保護するための保護時間Ｔｇに対して短い場合（５分未満の場合）には、除霜動作が保護時間Ｔｇに相当する５分間だけ行われることになる。この継続時間Ｔｕ＜保護時間Ｔｇの場合、ステップＳ６の処理は必然的にＹｅｓ判定となってステップＳ７に処理が進む。また、ステップＳ３において算出された除霜モードの継続時間Ｔｕが保護時間Ｔｇに対して長い場合（５分以上の場合）には、ステップＳ６の繰り返し判定が行われ、継続時間Ｔｕに達した時間Ｔｃ（図３参照）の時点（Ｙｅｓ判定）でステップＳ７に処理が進む。
【００６１】
そして、本実施形態では、ステップＳ８において、制御部６０により、電力検出部６１により停電が検出されるまでの圧縮機１０の運転時間Ｔｖの積算値が初期値（＝０分）に戻される。そして、ステップＳ９では、制御部６０により圧縮機１０が再始動される。すなわち、制御部６０により、圧縮機駆動部６２に対して圧縮機１０を始動するためのオン信号（オン指令）が出力される。これにより、圧縮機１０は、時間Ｔｃ（図３参照）のタイミングで圧縮機駆動部６２によって再始動される。
【００６２】
そして、ステップＳ１０では、制御部６０により運転時間Ｔｖの積算処理が開始されて本制御フローが終了される。本制御フロー終了後は、所定の制御周期が経過した後に、再び、図５に示した本制御フローが実行される。このようにして、ショーケース１００（図２参照）が冷却モードで運転されている際の制御部６０による停電検出時の運転動作が行われる。
【００６３】
本実施形態では、上記のように、電力検出部６１により停電が検出された際に圧縮機１０を停止させるとともに蒸発器４０の除霜を行う除霜モードに移行させる制御を行う制御部６０を設けることによって、たとえば、停電発生時に除霜を行うことなく停電回復後に圧縮機１０が再始動され再び圧縮機１０が停止された後に除霜モードに移行するような運転状態とは異なり、停電発生時に圧縮機１０が停止されて蒸発器４０の除霜を行う除霜モードに移行され除霜モードの終了後に圧縮機１０を再始動させることができるので、圧縮機１０の頻繁な始動停止が繰り返されない。これにより、ショーケース１００のエネルギ損失が増大するのが抑制されるとともに商品を収容する陳列室１ａの温度が上昇するのが抑制される。また、電力検出部６１により停電が検出されたことをトリガとして蒸発器４０の除霜を行う除霜モードに移行されるので、停電の発生に起因して除霜動作（除霜モード）が遅延することがなく、停電が発生した場合にも適切なタイミングで蒸発器４０の除霜を行うことができる。ショーケース１００においては、蒸発器４０に付着した霜が除去（除霜）されないまま冷却運転が継続された場合には陳列室１ａを低温状態に維持しにくくなるので、停電が発生した場合にも適切なタイミングで除霜が行われる分、陳列室１ａを低温状態で安定的に維持することができる。これらの結果、停電が発生した場合にも適切なタイミングで除霜を行うことによりショーケース１００の冷却効率が低下するのを抑制することができる。
【００６４】
また、本実施形態では、停電が検出された際の除霜モード（除霜動作）の継続時間Ｔｕが電力検出部６１により停電が検出されるまでの圧縮機１０の運転時間Ｔｖに応じて決定されるように構成する。これにより、停電が検出された際に除霜動作が一律の時間（標準継続時間Ｔｄ：２０分）しか行われない場合と異なり、停電が検出されるまで（圧縮機１０が停止されるまで）の圧縮機１０の運転時間Ｔｖに応じて変動（増減）する着霜量に応じた継続時間Ｔｕで除霜動作を行うことができる。このように、停電検出時の除霜モードの継続時間Ｔｕを着霜量に応じて調整することができるので、除霜動作が短すぎて霜の融け残り（除霜不足）が生じたり、除霜が実際的に完了しているにもかかわらず除霜動作が無用に長引くことを抑制することができる。また、着霜量に応じた継続時間Ｔｕで除霜モードを適切に終了させることができるので、除霜の終了とともに冷却運転を直ちに再開させることができる。
【００６５】
また、本実施形態では、停電が検出された際の除霜モード（除霜動作）の継続時間Ｔｕに、電力検出部６１により停電が検出されるまでの圧縮機１０の運転時間Ｔｖに応じて、停電が発生しない通常時の除霜モードの継続時間（標準継続時間Ｔｄ：２０分）よりも短くなるように補正された時間を用いる。これにより、停電が発生しない通常時の除霜モードの継続時間（標準継続時間Ｔｄ）を基準として、停電が検出されるまでの圧縮機１０の運転時間Ｔｖに応じて停電検出時の除霜モードの継続時間Ｔｕを通常時の除霜モードの継続時間（標準継続時間Ｔｄ）の範囲内で最適な長さに制御することができる。
【００６６】
また、本実施形態では、停電が発生しない通常時の除霜モード（除霜動作）は、標準運転時間Ｔｒ（８時間）おきに標準継続時間Ｔｄ（２０分）継続されるように構成されており、停電が検出された際の除霜モードの継続時間Ｔｕが、標準運転時間Ｔｒに対する停電が検出されるまでの圧縮機１０の運転時間Ｔｖの割合を標準継続時間Ｔｄに乗じて算出される（継続時間Ｔｕ＝標準継続時間Ｔｄ×（運転時間Ｔｖ／標準運転時間Ｔｒ））ように構成する。これにより、除霜モードの継続時間Ｔｕを標準継続時間Ｔｄの範囲内で停電が検出されるまでの圧縮機１０の運転時間Ｔｖに比例させて増減させることができるので、停電が検出されるまでの圧縮機１０の運転時間Ｔｖに応じて変動（増減）する着霜量に応じて、除霜モードの継続時間Ｔｕを容易に調整することができる。
【００６７】
また、本実施形態では、圧縮機１０は、圧縮機１０の停止時から圧縮機１０を保護するための保護時間Ｔｇ（５分）が経過した後に再始動可能に構成されており、算出された除霜モードの継続時間Ｔｕが圧縮機１０を保護するための保護時間Ｔｇよりも短い場合には、保護時間Ｔｇを優先するとともに除霜モードの継続時間Ｔｕを保護時間Ｔｇに相当する時間に置き換えて除霜モードを継続させる制御を行うように制御部６０を構成する。これにより、除霜モード（除霜動作）の継続時間Ｔｕが保護時間Ｔｇよりも短い時間として算出された場合であっても、圧縮機１０の停止時から少なくとも圧縮機１０の保護時間Ｔｇ（５分）が経過するまでの間、除霜モードが継続されるので、圧縮機１０を確実に保護しながら、圧縮機１０を保護するための保護時間Ｔｇ（停止時間）を有効に利用して十分な除霜を行うことができる。
【００６８】
また、本実施形態では、制御部６０は、電力検出部６１により停電が検出された際の除霜モードの終了に基づいて停止中の圧縮機１０を再始動させる制御を行うように構成されており、電力検出部６１により停電が検出されるまでの圧縮機１０の運転時間Ｔｖの積算値を初期値（０分）に戻した状態で、停電から復帰した後の圧縮機１０の再始動に基づいて運転時間Ｔｖの積算処理を開始する制御を行うように制御部６０を構成する。これにより、除霜モード（除霜動作）の終了に基づいて圧縮機１０の運転時間Ｔｖの積算処理が新たに開始されるので、次に停電が検出された際の除霜モードの継続時間Ｔｕを、前回の除霜モードの終了に基づいて新たに積算処理が開始された圧縮機１０の運転時間Ｔｖに応じて容易に決定することができる。
【００６９】
また、本実施形態では、少なくとも除霜モードの継続時間Ｔｕ内は、停電から復帰した後も圧縮機１０の停止状態を継続させるとともに除霜モードを継続させる制御を行うように制御部６０を構成する。これにより、電力の停電および停電の回復に合わせて圧縮機１０を頻繁に始動停止させることなく、回復した電力を有効に利用して除霜モード（除霜動作）を優先的に継続させることができる。したがって、蒸発器４０への着霜を確実に解消することができる。
【００７０】
また、本実施形態では、電力検出部６１により、数秒以上数分以下の停電のみならず約５０ミリ秒〜１００ミリ秒程度の短時間の停電が検出された際にも圧縮機１０を停止させるとともに除霜モードに移行させる制御を行うように制御部６０を構成する。このように、いわゆる瞬時停止などのように停電が非常に短い時間だけ発生した場合においても、停電発生時に圧縮機１０が停止されて除霜モードに移行され除霜モードの終了後に圧縮機１０が再始動される点で圧縮機１０の頻繁な始動停止が繰り返されない。また、非常に短い時間の停電であっても適切なタイミングで蒸発器４０の除霜が行われるので、除霜動作（除霜モード）が遅延するのを確実に抑制することができる。
【００７１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７２】
たとえば、上記実施形態では、停電時に算出された除霜モードの継続時間Ｔｕが圧縮機１０の保護時間Ｔｇ（５分）よりも短い場合（Ｔｕ＜Ｔｇ）に保護時間Ｔｇに相当する時間に亘って除霜用ヒータ（電熱ヒータ）７０を通電させた例について示したが、本発明はこれに限られない。たとえば、保護時間Ｔｇのうち除霜モード開始から継続時間Ｔｕまでの間だけ除霜用ヒータ７０を通電させるとともに、継続時間Ｔｕを超えた時点から保護時間Ｔｇまでの残り時間は除霜用ヒータ７０を通電しないようにしてもよい。そして、保護時間Ｔｇの満了とともに圧縮機１０を再始動してもよい。これにより、保護時間Ｔｇの全てに亘って除霜用ヒータ７０を通電させる必要がないので、除霜用ヒータ７０の通電時間（消費電力）をその分削減することができる。
【００７３】
また、上記実施形態では、停電時に算出された除霜モードの継続時間Ｔｕが圧縮機１０の保護時間Ｔｇ（５分）よりも短い場合に保護時間Ｔｇに相当する時間に亘って除霜用ヒータ７０を通電させた例について示したが、本発明はこれに限られない。たとえば、この継続時間Ｔｕ＜保護時間Ｔｇの場合には、一旦移行された除霜モードを停止して保護時間Ｔｇが経過した後に圧縮機１０を再始動してもよい。すなわち、図６に示す変形例のように、時間Ｔａのタイミングで停電が発生して除霜モードに移行された際、停電が検出されるまでの圧縮機１０（図２参照）の運転時間Ｔｖに応じて算出された除霜モードの継続時間Ｔｕが５分未満であった場合には、時間Ｔａ直後の時間Ｔｓのタイミングで除霜モードを停止してもよい。したがって停電が回復した時間Ｔｂから圧縮機１０が再始動される時間Ｔｃまでの間は、除霜用ヒータ７０は通電されない。なお、継続時間Ｔｕが保護時間Ｔｇ（５分）に満たない場合とは、停電が検出されるまでの圧縮機１０の運転時間Ｔｖ自体が２時間未満と短い場合に該当する。この場合、蒸発器４０への着霜量自体も元々少ない。したがって、時間Ｔａで制御上一旦移行された除霜モードを時間Ｔｓで停止して除霜用ヒータ７０の通電時間を削減したとしても、冷却運転効率への影響はほとんどない。
【００７４】
また、上記実施形態では、停電発生時に移行される除霜モード（除霜動作）の継続時間Ｔｕを電力検出部６１により停電が検出されるまでの圧縮機１０の運転時間Ｔｖに応じて決定した例について示したが、本発明はこれに限られない。たとえば、蒸発器４０の所定位置に除霜用の温度センサを取り付けておき、停電発生時の除霜モードにおいては、圧縮機１０の運転時間Ｔｖに応じて算出される継続時間Ｔｕと、除霜用の温度センサの検出値との両方に基づいて除霜モード（除霜動作）を継続するように構成してもよい。すなわち、除霜中、圧縮機１０の運転時間Ｔｖに応じて算出される継続時間Ｔｕに達していても温度センサの検出値が一定値未満の場合には温度センサの検出値が一定値以上となるまで除霜動作を継続するように構成し、かつ、除霜中、圧縮機１０の運転時間Ｔｖに応じて算出される継続時間Ｔｕに達していなくても温度センサの検出値が一定値以上になれば除霜モード（除霜動作）を終了させるように構成していてもよい。この変形例のように構成すれば、霜の融け具合に応じて除霜モード（除霜動作）を適切に（早期に）終了させることも可能となるので、冷却モード（冷却運転）に早期に復帰させることができる分、停電と停電による除霜動作とに起因してショーケース１００の運転効率（冷却効率）が低下するのを抑制することができる。
【００７５】
また、上記実施形態では、圧縮機１０に冷媒吐出量が制御可能なインバータ制御式圧縮機を用いて冷凍サイクル装置２を構成した例について示したが、本発明はこれに限られない。たとえば、インバータ制御を用いない一定速型（非可変容量型）の圧縮機を用いてショーケース（冷却装置）を構成してもよい。この変形例においても、冷却モードでの運転中、陳列室１ａの温度制御に伴って圧縮機の駆動が一時的に停止されるサーモオフ状態がありうるが、制御上、「冷却モード」が継続されている期間中は一定速型の圧縮機であっても運転制御下に置かれるので、冷却モード中の一時的な圧縮機の停止時間についても本発明の「圧縮機の運転時間」に含まれる。
【００７６】
また、上記実施形態では、ショーケース１００の標準運転時間Ｔｒが８時間であり、除霜動作の標準継続時間Ｔｄが２０分間である例について示したが、本発明はこれに限られない。標準運転時間Ｔｒおよび標準継続時間Ｔｄは、それぞれ、上記以外であってもよい。また、圧縮機の保護時間Ｔｇについても５分以外であってもよい。
【００７７】
また、上記実施形態では、ケース本体部１の内部に冷凍サイクル装置２全体が内蔵されたいわゆる冷凍機内蔵型（一体型）のショーケース１００を構成した例について示したが、本発明はこれに限られない。すなわち、店舗内のケース本体部１に電子膨張弁３０および蒸発器４０を設けるとともに、圧縮機１０およびガスクーラ２０などからなる冷凍機（室外機）を屋外に配置し、ケース本体部１と冷凍機とを冷媒配管（液管およびガス管）により接続して構成されたセパレート型の冷却装置に対して本発明を適用してもよい。また、この場合、１つの冷凍機（室外機）に対して１つのショーケースが配管接続された冷却装置のみならず、１つの冷凍機に対して複数台のショーケースが並列的に接続された冷却装置に対して本発明を適用してもよい。すなわち、停電が検出された際、複数台のショーケースの各々において除霜モードに移行されるように構成してもよい。
【００７８】
また、上記実施形態では、オープンタイプ（開放型）のショーケース１００に本発明を適用した例について示したが、本発明はこれに限られない。ケース本体部１の前面側が開放されたオープンタイプのみならず、商品取出し時に開閉される開閉扉を備えたクローズドタイプであってもよいし、オープンタイプとクローズドタイプとが混在した形態のショーケース（冷却装置）に本発明を適用してもよい。
【００７９】
また、上記実施形態では、二酸化炭素冷媒（ＣＯ2）を用いてショーケース１００を動作させる例について示したが、本発明はこれに限られない。二酸化炭素冷媒以外の他の自然冷媒を使用してもよいし、オゾン層破壊係数がゼロの代替フロン冷媒を使用してもよい。
【００８０】
また、上記実施形態では、説明の便宜上、制御部６０のショーケース１００の運転に関する制御処理を処理フローに沿って順番に処理を行うフロー駆動型のフローチャートを用いて説明したが、本発明はこれに限られない。本発明では、制御部６０の処理を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００８１】
１ａ  陳列室（収容部）
１０  圧縮機
３０  電子膨張弁
４０  蒸発器
６０  制御部
６１  電力検出部（検出部）
６２  圧縮機駆動部
７０  除霜用ヒータ
１００  ショーケース（冷却装置）
【図１】
2014173809.tif 000003
【図２】
2014173809.tif 000004
【図３】
2014173809.tif 000005
【図４】
2014173809.tif 000006
【図５】
2014173809.tif 000007
【図６】
2014173809.tif 000008